(57)【要約】【課題】１．デッキボードの厚さが薄いため、図３に示す７、デッキボード端板が破損し易い。２．図３に示す６のケタ部も７のデッキボード端板も、曲り、しなり、折れ、変形し易い。３．曲り、しなり、折れ、変形し易いので大型、特に長尺の木製四方差パレットが実用しにくい。【解決手段】１．パレット平面の周囲、及び中心に厚い枠板を組みつけ、デッキボード端板及びデッキボードと兼用した。２．デッキボード端板兼用枠板１、の内側に、デッキボードパネル図８、１１、をはめ込む構成とした。３．中心部のブロックを管柱とした。４．パレットのデッキボード兼用外枠板１、の角の部分を角度θ４５°前後に切断し、おのおのの枠板を水平に接続した。こうすることにより、枠板を重ねて接続する場合よりも、厚いデッキボード兼用枠とすることが出来る。【選択図】図２
2007320657.tif 000002
【特許請求の範囲】
【請求項１】
ケタ板と、デッキボード端板を兼用する外枠板図９、１、の両端を、角度θ４５°とした図９に示すデッキボード兼用外枠板１を角度θ９０°前後に水平に接続し、ブロック２、中間ブロック３、に組みつけ４角形とした図５に示す構成を特徴とする木製パレット。
【請求項２】
パレットの中心ブロック４、を図５、図１４に示す角形管状の管柱とした構成を特徴とする木製パレット。
【請求項３】
デッキボードを図７、１０、図８、１１、のようにパネル化し、そのデッキボードパネルを、ケタ板とデッキボード端板を兼用する枠板１、で囲まれた外枠１の内側にはめ込んで、ブロック２、中間ブロック３、中心ブロック管柱４、に固定する図１、図２、等の構成にしたことを特徴とする木製パレット。
【発明の詳細な説明】
【技術分野】
【０００１】本発明は、ブロック型木製両面使用四方差パレットに関するものである。
【背景技術】
【０００２】従来のブロック型木製両面使用四方差パレットは、図３に示すように、ブロック２、中間ブロック３、にケタ板６をとりつけ、それにデッキボード端板７、中間デッキボード５、をとりつけたものである。
【発明の開示】
【発明が解決しようとする課題】
【０００３】しかし、フォークリフトのフォークでパレットが内側に押圧された場合、及び、フォークがパレットを角度を持って起重した場合、図３ケタ板６、図３デッキボード端板７、がパレットの内側に移動しやすく、又、ケタ板６、デッキボード端板７が、しなり、曲り、折れ、破損しやすい。【０００４】ケタ板６と、デッキボード端板７が図３のようにかさねて組合されているため、ケタ板６、デッキボード端板７を厚くすればパレット全体の高さが高くなる。【０００５】ケタ板６を厚くし、又デッキボード端板７も厚くして、ケタ板６、デッキボード端板７が、フォークリフトで押圧された時に内側への移動、破損、曲り、しなり、折れを少くする課題があった。
【課題を解決するための手段】
【０００６】本発明は、このような従来の構成が有していた問題を解決するために、ケタ板と、デッキボード端板を兼用する厚い図９の枠板１、の両端を角度θ４５°前後とした枠板１を、角度θ９０°前後に水平に接続し、図５のブロック２、中間ブロック３に組つけ四角形の図５の構成とした。【０００７】パレットの中心に、図６に示すようにブロック４となる管柱を配置し、デッキボード兼用の中間枠板図１１、９、図１０、８を組みつける図４の構成とした。【０００８】デッキボードを図７、１０、図８、１１、のようなパネルに組立て、デッキボード兼用枠板１の内側にはめ込む方式とし、図１、図２、に示すようにデッキボード兼用枠板１、の内側のブロック２、中間ブロック３、中心ブロック管柱４、に組みつける構成とした。
【発明の効果】
【０００９】厚さの厚いデッキボード端板兼用枠板１、でパレットのデッキ外周囲が構成されているので、デッキボード端板としても厚くなっており、デッキボード端板としても破損しにくい。【００１０】ケタ板とデッキボード端板を兼用する厚い枠板１、の両端を、角度θ４５°前後としたデッキボード兼用枠板１、を角度θ９０°前後に水平に接続し、ブロック２、に水平に組みつけ４角形の構成としてあるので、パレット自体も変形しにくく、フォークリフトによるパレットを内側への押圧に対しても、圧力が全体にかかり、破損しにくい。【００１１】パレットの中心に、ブロックとなる管柱４を配置し、デッキボード兼用の中間枠板８、９、を組みつける図４、のように構成した。
これは、中心ブロック４、を管柱にすることで中心ブロック４の重量を軽量化することが出来、デッキボード兼用中間枠板８、９、に管柱が接着しているので、デッキボード兼用中間枠板８の、曲り、たわみ、を少くする効果がある。
特に、大型、長尺のパレットに奏功する。【００１２】デッキボードを、図７、図８、のようにデッキボードパネルとし、パレットの端板兼用外枠の内側にハメ込む方式にすることにより、デツキボードの組みつけが容易となり、デッキボードパネルをパレットの部品として扱え、パレットを製作し易い。
又、デッキボードパネルが、フォークリフトがパレットを内側に押圧する場合の緩衝作用もするものである。
【発明の実施するための最良の形態】
【００１３】以下、発明の実施の形態を図１、から図１４に基ずいて説明する。
【００１４】本発明の、木製両面使用四方差パレットは、図６に示すように、ブロック２、中間ブロック３、中心ブロック管柱４、を配し、これにデッキボード端板兼用外枠板１、デッキボード兼用中間枠板８、９、を組みつけ、図４、のパレット枠組みを形成する。
これに図７、１０のデッキボードパネルを図１、のようにはめ込み、デッキボードパネルの角等の位置で釘、ネジ等でブロック２、中間ブロック３、中心ブロック管柱４、に組みつけ上面は出来上る。
下面は、これを裏返して上面と同じことをくり返し、パレットが完成する。
【００１５】デッキボード兼用中間枠８、９、のない四方差パレットは、図６に示すように、ブロック２、中間ブロック３、中心ブロック管柱４、を配し、デッキボード端板兼用外枠１、を組みつけ図５、のパレット枠組みを形成する。
このデッキボード端板兼用外枠１、の内側に図８のデッキボードパネル１１、をはめ込み、ブロック２、中間ブロック３、中心ブロック管柱４、に釘、ネジ等で組みつけ固定し上面は出来上る。
下面も、これを裏返して、これと同じことをくり返し、パレットが完成する。
【００１６】以上説明したように、この発明によれば、上述の構成としたので次の効果を奏する。
１．厚さの厚い、両端が角度θ４５°のデッキボード端板兼用の枠板１、で水平に角度θ９０°で接続し、デッキボード端板兼用外枠を構成しているので四方向からのフォークリフトの、押圧、衝撃に  も耐え破損しない。
２．中間ブロック３、中心ブロック管柱４を、弧、弦としてもの活用により、パレットのタワミ、曲りが少なくなる。
３．製作、組立てが単純で、強固に固定することが出来る。
４．大型、長尺の木製四方差パレットが製作出来、使用可能となる。
５．強固な構成のため、杉材等軽量材料使用により、パレットの重量を軽量化することが出来る。
６．二方差が主流の我が国の木製パレットにおいて、便利で態率的な木製四方差パレットが普及し、物流、荷役の能率化に貢献する。
【図面の簡単な説明】
【００１７】
【図１】実施例のデッキボード兼用中間枠板８、９、のあるパレットを示し、同図（ａ）は平面図、同図（ｂ）は正面図、同図（ｃ）は側面図
【図２】実施例のデッキボード兼用中間枠板８、９、のないパレットを示し、同図（ａ）は平面図、同図（ｂ）は正面図  同図（ｃ）は側面図
【図３】従来の両面使用四方差のパレットを示し、斜め上より見た外観図
【図４】実施例四方差パレットの、配置したブロックに外枠板１、中間枠板８、９、を取りつけたものを示し、（ａ）は平面図、（ｂ）は正面図、（ｃ）は側面図
【図５】実施例四方差パレットの、配置したブロックにデッキボード端板兼用外枠板１を取りつけたものを示し、（ａ）は平面図、（ｂ）は正面図、（ｃ）は側面図
【図６】実施例の四方差パレットの、ブロック２、中間ブロック３、中心ブロック管柱４、の配置を示し、（ａ）は平面図、（ｂ）は正面図、（ｃ）は側面図
【図７】実施例四方差パレットの図１、のデッキボードパネル１０、を示し、（ａ）は平面図、（ｂ）は正面図、（ｃ）は側面図
【図８】実施例四方差パレットの図２、のデッキボードパネル１１、を示し、（ａ）は平面図、（ｂ）は正面図、（ｃ）は側面図
【図９】実施例四方差パレットの図１、図２、のケタ板とデッキボード端板兼用外枠板１、を示し、（ａ）は平面図、（ｂ）は正面図、（ｃ）は側面図
【図１０】実施例四方差パレットの図１、のケタ板とデッキボード兼用中間枠板８、を示し、（ａ）は平面図、（ｂ）は正面図、（ｃ）は側面図
【図１１】実施例四方差パレットの図１、のデッキボード兼用中間枠板９、を示し、（ａ）は平面図、（ｂ）は正面図、（ｃ）は側面図
【図１２】実施例四方差パレット図１、図２、のブロック２、を示し、（ａ）は平面図、（ｂ）は正面図、（ｃ）は側面図
【図１３】実施例四方差パレットの図１、図２、の中間ブロック３、を示し、（ａ）は平面図、（ｂ）は正面図、（ｃ）は側面図
【図１４】実施例四方差パレットの図１、図２、の中心ブロック管柱４、の部材を示し（ａ）は平面図、（ｂ）は正面図、（ｃ）は側面図
【図１５】実施例四方差パレットの図１、図２、の中心ブロック管柱４、を示し、（ａ）は平面図、（ｂ）は正面図、（ｃ）は側面図
【符号の説明】
【００１８】１．デッキボード端板兼用外枠板
２．ブロック
３．中間ブロック
４．中心ブロック管柱
５．デッキボード
６．ケタ板
７．デッキボード端板
８．デッキボード兼用中間枠板
９．デッキボード兼用中間枠板
１０．デッキボードパネル
１１．デッキボードパネル
１２．釘、ネヂ等
【図１】
2007320657.tif 000003
【図２】
2007320657.tif 000004
【図３】
2007320657.tif 000005
【図４】
2007320657.tif 000006
【図５】
2007320657.tif 000007
【図６】
2007320657.tif 000008
【図７】
2007320657.tif 000009
【図８】
2007320657.tif 000010
【図９】
2007320657.tif 000011
【図１０】
2007320657.tif 000012
【図１１】
2007320657.tif 000013
【図１２】
2007320657.tif 000014
【図１３】
2007320657.tif 000015
【図１４】
2007320657.tif 000016
【図１５】
2007320657.tif 000017
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
ケタ板と、デッキボード端板を兼用する外枠板図９、1、の両端を、角度θ４５°とした図９に示すデッキボード兼用外枠板１を角度θ９０°前後に水平に接続し、ブロック２、中間ブロック３、に組みつけ４角形とした図５に示す構成を特徴とする木製パレット。
【請求項２】
デッキボードを図７、１０、図８、１１、のようにパネル化し、そのデッキボードパネルを、ケタ板とデッキボード端板を兼用する板枠１、で囲まれた外枠１の内側にはめ込んで、ブロック２、中間ブロック３、中心ブロック管柱４、に固定する図１、図２、の構成にしたことを特徴とする木製パレット。